(57)【要約】【課題】仮設足場を構成する作業布板同士が、すき間を開け、かつ水平方向の角度をなして配置される場合に、そのすき間を有効に塞ぐためのすき間塞ぎ体を提供すること。【解決手段】すき間塞ぎ体１０は、仮設足場を構成していて、すき間を開け、かつ水平方向の角度をなして配置された作業布板同士の間のすき間に配置されるものであり、作業者が乗る天板部材１１に少なくとも２個配置された係止部材となっているフック部材１５を有するすき間塞ぎ体１０は、フック部材１５が仮設足場の構成部材である横架部材８に係止されることですき間に配置される。フック部材１５には、例えば、フック部材１５が取り付けられた棒状部材１６，１７が天板部材１１に対し水平方向へ回動自在であることで、水平方向へ回動自在となっているものがあり、この回動によりそれぞれのフック部材１５を横架部材８に係止させることができる。【選択図】図７
2019108714.tif 000002
【特許請求の範囲】
【請求項１】
仮設足場を構成していて、すき間を開け、かつ水平方向の角度をなして配置されている作業布板同士の間の前記すき間に配置される仮設足場のすき間塞ぎ体であって、
作業者が乗る天板部材と、この天板部材に間隔をあけて少なくとも２個配置され、それぞれが前記仮設足場の構成部材に係止される係止部材とを含んで構成され、これらの係止部材のうち、少なくとも１個の係止部材が前記天板部材に対し水平方向に回動自在となっていることを特徴とする仮設足場のすき間塞ぎ体。
【請求項２】
請求項１に記載の仮設足場のすき間塞ぎ体において、前記天板部材の下側には、長さを有する棒状部材が配置され、この棒状部材に、前記天板部材に対し水平方向に回動自在となっている前記係止部材が、前記棒状部材の長さ方向の間隔をあけて２個取り付けられ、前記棒状部材が前記天板部材に水平方向へ回動自在に連結されていることにより、前記２個の係止部材のそれぞれが前記天板部材に対し水平方向に回動自在となっていることを特徴とする仮設足場のすき間塞ぎ体。
【請求項３】
請求項２に記載の仮設足場のすき間塞ぎ体において、前記係止部材の全部の個数は４個であって、前記棒状部材は第１棒状部材であり、前記天板部材の下側には、前記第１棒状部材と対向して第２棒状部材が配置され、長さを有するこの第２棒状部材にも２個の係止部材が、この第２棒状部材の長さ方向の間隔をあけて取り付けられていることを特徴とする仮設足場のすき間塞ぎ体。
【請求項４】
請求項３に記載の仮設足場のすき間塞ぎ体において、前記第２棒状部材も前記天板部材に水平方向へ回動自在に連結されていることを特徴とする仮設足場のすき間塞ぎ体。
【請求項５】
請求項３又は４に記載の仮設足場のすき間塞ぎ体において、前記第１棒状部材と前記第２棒状部材のうち、少なくとも一方の棒状部材は、前記第１棒状部材と前記第２棒状部材の接近、離間方向に移動可能となっていることを特徴とする仮設足場のすき間塞ぎ体。
【請求項６】
請求項１〜５のいずれかに記載の仮設足場のすき間塞ぎ体において、前記天板部材の下面には、この天板部材の強度を補強するための補強部材が結合されていることを特徴とする仮設足場のすき間塞ぎ体。
【請求項７】
請求項２〜５のいずれかに記載の仮設足場のすき間塞ぎ体において、前記天板部材の下面には、この天板部材の強度を補強するための補強部材が結合され、この補強部材は、前記天板部材に水平方向へ回動自在に連結されている前記棒状部材と干渉する長さ寸法を有し、前記天板部材に水平方向へ回動自在に連結されている前記棒状部材と前記補強部材とのうち、一方には、前記天板部材に水平方向へ回動自在に連結されている前記棒状部材の回動を可能するために他方が遊合状態で嵌合されている切欠部が設けられていることを特徴とする仮設足場のすき間塞ぎ体。
【発明の詳細な説明】
【技術分野】
【０００１】
本発明は、仮設足場を構成する作業布板同士が、すき間を開け、かつ水平方向の角度をなして配置される場合に、そのすき間を塞ぐために仮設足場に配置されるすき間塞ぎ体に係り、建築や土木等の各種の作業現場で構築される仮設足場に利用できるものである。
【背景技術】
【０００２】
下記の特許文献１及び特許文献２には、仮設足場を構成するものであって、作業者が乗って作業や歩行などを行うための作業布板が示されている。この作業布板を直列的に複数個配置することにより、仮設足場に通路等となる所定長さの直線状の作業布板列を形成することができる。
【先行技術文献】
【特許文献】
【０００３】
【特許文献１】特開２００１−３１１３０４号公報
【特許文献２】特開２００９−４１３２８号公報
【発明の概要】
【発明が解決しようとする課題】
【０００４】
作業布板が用いられる仮設足場は、建築物等の作業対象物の外観形状等に基づいて構築されるため、仮設足場が構築される作業現場によっては、作業布板同士を、これらの作業布板の長さ方向の端部同士が鋭角の角度をなすように配置することにより、これらの作業布板同士を、すき間を開け、かつ水平方向の角度をなして配置しなければならない場合があり、このような場合には、作業布板同士の間に、上記角度に基づくすき間が生ずるため、このすき間を有効に塞ぎ、作業者が歩行などを行えるようにするための仮設足場用物品が求められる。
【０００５】
本発明の目的は、仮設足場を構成する作業布板同士が、すき間を開け、かつ水平方向の角度をなして配置される場合に、そのすき間を有効に塞ぐことができるようになる仮設足場のすき間塞ぎ体を提供するところにある。
【課題を解決するための手段】
【０００６】
本発明に係る仮設足場のすき間塞ぎ体は、仮設足場を構成していて、すき間を開け、かつ水平方向の角度をなして配置されている作業布板同士の間の前記すき間に配置される仮設足場のすき間塞ぎ体であって、作業者が乗る天板部材と、この天板部材に間隔をあけて少なくとも２個配置され、それぞれが前記仮設足場の構成部材に係止される係止部材とを含んで構成され、これらの係止部材のうち、少なくとも１個の係止部材が前記天板部材に対し水平方向に回動自在となっていることを特徴とするものである。
【０００７】
このように本発明に係るすき間塞ぎ体では、作業者が乗るための部材となっている天板部材に間隔をあけて少なくとも２個の係止部材が配置されており、それぞれが仮設足場の構成部材に係止されるこれらの係止部材のうち、少なくとも１個の係止部材が天板部材に対し水平方向に回動自在となっているため、仮設足場を構成していて、すき間を開け、かつ水平方向の角度をなして配置されている作業布板同士の間のすき間にすき間塞ぎ体を配置する際に、天板部材に対し水平方向に回動自在となっている係止部材を回動させることにより、上述の少なくとも２個の係止部材を仮設足場の構成部材に係止させることができ、これにより、すき間塞ぎ体によって作業布板同士の間のすき間を有効に塞ぐことができる。
【０００８】
以上の本発明において、係止部材を、この係止部材を係止させる仮設足場の構成部材の長さ方向に長いものとしてもよく、このようにした場合には、係止部材の個数は２個でもよい。
【０００９】
また、天板部材に対し水平方向に回動自在となっている係止部材を、この係止部材を係止させる仮設足場の構成部材の長さ方向の長さが短いものとする場合には、天板部材の下側に、長さを有する棒状部材を配置し、この棒状部材に、天板部材に対し水平方向に回動自在となっている係止部材を、棒状部材の長さ方向の間隔をあけて２個取り付け、棒状部材を天板部材に水平方向へ回動自在に連結することにより、２個の係止部材のそれぞれが天板部材に対し水平方向に回動自在となるようにしてもよい。
【００１０】
また、係止部材の全部の個数を４個とし、そして、上述の棒状部材を第１棒状部材とし、天板部材の下側に、第１棒状部材と対向して第２棒状部材を配置し、長さを有するこの第２棒状部材にも２個の係止部材を、この第２棒状部材の長さ方向の間隔をあけて取り付けてもよい。
【００１１】
さらに、このように本発明に係るすき間塞ぎ体を構成する場合には、第２棒状部材も天板部材に水平方向へ回動自在に連結してもよい。
【００１２】
これによると、第１棒状部材と第２棒状部材の両方が天板部材に水平方向に回動自在に連結されるため、本発明に係るすき間塞ぎ体を作業布板同士の間のすき間に配置する際に、これらの作業布板がなす水平方向の角度に応じて第１棒状部材と第２棒状部材がなす角度を大きな角度とすることを、これらの棒状部材を天板部材に対し水平方向へ回動させることによって実施できることになる。
【００１３】
また、上述したように天板部材の下側に、この天板部材に水平方向へ回動自在に連結された第１棒状部材を配置するとともに、この第１棒状部材に２個の係止部材を第１棒状部材の長さ方向の間隔をあけて取り付け、天板部材の下側に、第１棒状部材と対向して第２棒状部材を配置し、この第２棒状にも２個の係止部材を、この第２棒状部材の長さ方向の間隔をあけて取り付ける場合には、第１棒状部材と第２棒状部材のうち、少なくとも一方の棒状部材を、第１棒状部材と第２棒状部材の接近、離間方向に移動可能としてもよい。
【００１４】
これによると、第１棒状部材と第２棒状部材の間の間隔を変更することができるため、この間隔を、水平方向の角度をなして配置される作業布板同士の間のすき間の大きさに応じて調整することが可能となる。
【００１５】
また、以上説明した本発明に係るすき間塞ぎ体において、天板部材の下面には、この天板部材の強度を補強するための補強部材を結合してもよい。これによると、作業者が乗って作業や歩行などを行うための天板部材が板材によって形成されていても、この天板部材に、作業者が乗って作業や歩行などを行うために求められる充分の強度を付与できる。
【００１６】
また、前述したように、天板部材の下側に、この天板部材に水平方向へ回動自在に連結された第１棒状部材や第２棒状部材を配置する場合であって、天板部材の下面に、この天板部材の強度を補強するための補強部材を結合するとともに、この補強部材を、天板部材に水平方向へ回動自在に連結されている棒状部材と干渉する長さ寸法を有するものとする場合には、天板部材に水平方向へ回動自在に連結されている棒状部材と補強部材とのうち、一方に、天板部材に水平方向へ回動自在に連結されている棒状部材の回動を可能するために他方を遊合状態で嵌合する切欠部を設けてもよい。
【００１７】
これによると、補強部材が棒状部材と干渉する大きな長さ寸法を有するものとなっていても、天板部材に水平方向へ回動自在に連結されている棒状部材と補強部材とのうち、一方に設けられている切欠部に他方を遊合状態で嵌合させて、棒状部材を天板部材に対し水平方向へ回動自在とすることができ、また、棒状部材と干渉する大きな長さ寸法を有する補強部材の補強作用により、天板部材の補強を有効に行えることになる。
【００１８】
また、棒状部材が天板部材に対して水平方向に一定角度まで回動すると、棒状部材は補強部材に当接するため、棒状部材が天板部材に対し３６０度回動することはなく、このため、仮設足場の構築現場へ搬送等するときにおけるすき間塞ぎ体の取り扱い性を良好にすることができる。
【００１９】
なお、上述の切欠部は、天板部材に水平方向へ回動自在に連結されている棒状部材に設けてもよく、あるいは、補強部材に設けてもよい。
【００２０】
また、本発明に係るすき間塞ぎ体は、すき間を開け、かつ水平方向の角度をなして配置される作業布板が、これらの作業布板の長さ方向の端部同士が上記すき間を開けて作業布板の長さ方向に配置される場合において、作業布板が、この作業布板の幅方向に複数個並設されるときにも適用できる。この場合には、本発明に係るすき間塞ぎ体を、複数個が並設される作業布板の幅方向に複数個配置し、複数個が幅方向に並設されている作業布板ごとに本発明に係るすき間塞ぎ体を配置してもよい。
【００２１】
そして、このように複数個が幅方向に並設されている作業布板ごとに本発明に係るすき間塞ぎ体を配置する場合には、これらのすき間塞ぎ体の天板部材の大きさ等をすき間塞ぎ体ごとに異ならせ、これにより、これらのすき間塞ぎ体の天板部材を、作業布板の長さ方向の端部同士の間に設けられるすき間の大きさに対応できるようにしてもよい。
【発明の効果】
【００２２】
本発明によると、仮設足場を構成する作業布板同士が、すき間を開け、かつ水平方向の角度をなして配置される場合に、そのすき間を有効に塞ぐことができるという効果を得られる。
【図面の簡単な説明】
【００２３】
【図１】図１は、本発明の一実施形態に係るすき間塞ぎ体と作業布板が用いられて構築されている仮設足場を示す斜視図である。
【図２】図２は、すき間塞ぎ体が配置されている仮設足場の略円弧状部を示す平面図である。
【図３】図３は、天板部材を二点鎖線による想像線で示したすき間塞ぎ体の斜視図である。
【図４】図４は、すき間塞ぎ体の平面図である。
【図５】図５は、すき間塞ぎ体の正面図である。
【図６】図６は、すき間塞ぎ体の側面図である。
【図７】図７は、すき間塞ぎ体を仮設足場のすき間に配置するために係止部材となっているフック部材等を天板部材に対し水平方向に回動させたときを示す平面図である。
【発明を実施するための形態】
【００２４】
以下に本発明を実施するための形態を図面に基づいて説明する。図１には、建築や土木等の作業現場で略円弧状部を有して構築された仮設足場が示されている。この仮設足場は、立設された複数本の支柱１と、隣接する２本の支柱１の間に架け渡された手摺り部材２，３，４と、ブレース部材５と、作業者が乗って作業を行うための複数個の作業布板６とが用いられて構築されており、これらの作業布板６は、手摺り部材２，４の延び方向が長さ方向となっている平面視で長方形のものである。
【００２５】
図２には仮設足場の平面図が示されており、この図２に示されているように、それぞれの作業布板６は、長さ方向の端部に端部カバー部材７が設けられたものとなっており、仮設足場の上述した略円弧状部を構成するために、水平方向の角度をなして長さ方向に互いに隣接している作業布板６同士は、これらの作業布板６の端部カバー部材７の先端部によって形成されている作業布板６の長さ方向の端部同士の間にすき間Ｓを開けて仮設足場に配置されているとともに、これらの作業布板６の長さ方向の端部同士がなす角度が鋭角となるように仮設足場に配置され、これにより、仮設足場に上述の略円弧状部が形成されている。
【００２６】
また、図１及び図２に示されている仮設足場は、作業布板６の幅方向に２個の作業布板６を並設することにより形成されている。このため、作業布板６には、仮設足場の略円弧状部における内側に配設された作業布板６Ａと、外側に配設された作業布板６Ｂとがあり、また、図２で示されているすき間Ｓには、内側の作業布板６Ａ同士の間に設けられた内側のすき間Ｓ１と、外側の作業布板６Ｂ同士の間に設けられた外側のすき間Ｓ２とがある。
【００２７】
略円弧状部の内側と外側に配置された２本の支柱１の間には、パイプ材による横架部材８が水平に架け渡されており、仮設足場の構成部材となっているこの横架部材８は、すき間Ｓの両側に２本設けられ、これらの横架部材８に作業布板６の幅方向両側に設けられている係止部材９が上から係止されることにより、それぞれの作業布板６は、仮設足場に水平に配置されている。
【００２８】
すき間Ｓには、本実施形態に係るすき間塞ぎ体１０が配置されており、図１及び図２には、このすき間塞ぎ体１０として、内側のすき間Ｓ１を塞ぐためのすき間塞ぎ体１０Ａと、外側のすき間Ｓ２を塞ぐためのすき間塞ぎ体１０Ａとが示されている。これらのすき間塞ぎ体１０Ａ，１０Ｂは、作業布板６と同様に、作業者が乗って作業や歩行などを行うための天板部材１１を備えたものとなっており、内側のすき間Ｓ１を塞ぐためのすき間塞ぎ体１０Ａの天板部材１１Ａと、外側のすき間Ｓ２を塞ぐためのすき間塞ぎ体１０Ｂの天板部材１１Ｂは、仮設足場の略円弧状部の半径方向における長さ寸法が同じ又は略同じになっているが、略円弧方向における長さ寸法は異なっており、この略円弧方向における長さ寸法は、すき間Ｓ１とすき間Ｓ２の大きさに応じて、天板部材１１Ａでは短く、天板部材１１Ｂでは長くなっている。
【００２９】
これにより、図２に示されているように、内側のすき間Ｓ１を塞ぐためのすき間塞ぎ体１０Ａの天板部材１１Ａの端部は、内側の作業布板６Ａの端部カバー部材７の上面に載せられ、外側のすき間Ｓ２を塞ぐためのすき間塞ぎ体１０Ｂの天板部材１１Ｂの端部は、外側の作業布板６Ｂの端部カバー部材７の上面に載せられるようになっている。
【００３０】
以上のように内側のすき間Ｓ１を塞ぐためのすき間塞ぎ体１０Ａと、外側のすき間Ｓ２を塞ぐためのすき間塞ぎ体１０Ｂでは、天板部材１１Ａ，１１Ｂの大きさが異なっているが、このような寸法を除くその他の構成は同じになっているため、以下にすき間塞ぎ体１０Ａ，１０Ｂの構造を、天板部材１１を二点鎖線による想像線で示した図３と、平面図である図４と、正面図である図５と、側面図である図６とにより示されているすき間塞ぎ体１０によって説明する。
【００３１】
板材により形成されている天板部材１１は、図４に示されているように、互いに対向する２つの辺部１２Ａ，１２Ｂが平行であって、これらの辺部１２Ａ，１２Ｂと直角をなす２つの辺部１３Ａ，１３Ｂも平行になっていて、４つの辺部１２Ａ，１２Ｂ，１３Ａ，１３Ｂが直線状の４つの面取り部１４により連結されている平面視の形状を有するものである。この天板部材１１の下側には、厚板材で形成されている４個のフック部材１５が配置されており、これらのフック部材１５のうち、２個のフック部材１５Ａ，１５Ｂは、天板部材１１の下側に配置された第１棒状部材１６の長さ方向の両端部に溶接等で取り付けられ、２個のフック部材１５Ｃ，１５Ｄは、天板部材１１の下側に配置された第２棒状部材１７の長さ方向の両端部に溶接等で取り付けられ、長さ寸法を有するこれらの第１棒状部材１６と第２棒状部材１７は、互いに対向して天板部材１１の下側に配置されている。
【００３２】
なお、これらのフック部材１５Ａ〜１５Ｄは、後述するように、すき間塞ぎ体１０を仮設足場のすき間Ｓに配置するために、図２で示した２本の横架部材８に上から係止されるものであり、このため、フック部材１５Ａ〜１５Ｄは、仮設足場の構成部材となっている横架部材８に係止される係止部材となっている。
【００３３】
また、それぞれのフック部材１５は、図３及び図５に示されているように、下向きに開口した開口部２７を有するものである。
【００３４】
本実施形態では、それぞれが長さ寸法を有している第１棒状部材１６と第２棒状部材１７は、図３に示されているように、長寸の１個の角パイプ部材１８と、この角パイプ部材１８の長さ方向の両端部に間隔をあけて配置された短寸の２個の角パイプ部材１９と、これらの角パイプ部材１８，１９を連結するために、角パイプ部材１８，１９の下面に溶接等で結合されたフラットバーによる連結部材２０とからなり、長寸の角パイプ部材１８と短寸法の角パイプ部材１９との間は、第１棒状部材１６と第２棒状部材１７のそれぞれの切欠部２１となっている。この切欠部２１は、第１及び第２棒状部材１６，１７のそれぞれについて、２個ずつ設けられている。
【００３５】
そして、第１棒状部材１６と第２棒状部材１７は、これらの棒状部材１６，１７の長さ方向中央部において、これらの棒状部材１６，１７ごとに設けられた連結具２２により天板部材１１に連結されており、これらの連結具２２は、図５及び図６に示されているように、軸部が天板部材１１と第１及び第２棒状部材１６，１７の長寸の角パイプ部材１８とに上から挿通されたボルト２２Ａと、角パイプ部材１８の下面から突出したボルト２２Ａの軸部の先部に螺合されたナット２２Ｂとからなるものである。このため、第１棒状部材１６と第２棒状部材１７は、それぞれのボルト２２Ａの軸部を中心に天板部材１１に対し水平方向へ回動自在となっており、また、４個のフック部材１５も、ボルト２２Ａの軸部を中心に天板部材１１に対し回動自在となって天板部材１１に配置されていることになる。
【００３６】
また、図３に示されているように、天板部材１１には、第１棒状部材１６のための連結具２２のボルト２２Ａの軸部を挿通するために、第１棒状部材１６と第２棒状部材１７との間の間隔の方向に長い長孔２３が形成されている。これに対して、第２棒状部材１７のための連結具２２のボルト２２Ａの軸部を挿通するために天板部材１１に形成されている孔は、単なる丸孔である。
【００３７】
このため、第１棒状部材１６と第２棒状部材１７のうち、第１棒状部材１６は、長孔２３の長さにより、第２棒状部材１７に対する接近、離間方向に天板部材１１に対し移動可能となっている。
【００３８】
図３に示されているように、天板部材１１の下側には、第１及び第２棒状部材１６，１７の間において、３本の補強部材２４，２５，２６が、ボルト２２Ａの軸部を中心に回動していないときの第１及び第２棒状部材１６，１７と直角又は略直角をなして配置されており、これらの補強部材２４〜２６は、互いに平行の位置関係となって天板部材１１の下面に溶接等で結合されている。それぞれの補強部材２４〜２６は、第１及び第２棒状部材１７を構成している角パイプ部材１８，１９よりも縦断面積が小さい角パイプ部材によって形成されているとともに、これらの補強部材２４〜２６のうち、中央の補強部材２５は、連結具２２が配置されている第１及び第２棒状部材１６，１７の長さ方向中央箇所まで達しない長さを有する短寸法のものであり、これに対して補強部材２４，２６は、第１及び第２棒状部材１６，１７まで達する長さを有する長寸法のものである。
【００３９】
このため、これらの長寸法の補強部材２４，２６は、第１及び第２棒状部材１６，１７と干渉する長さ寸法となっているが、補強部材２４，２６の長さ方向の両端部は、第１及び第２棒状部材１６，１７のそれぞれに２個ずつ設けられている切欠部２１に嵌合されており、それぞれの切欠部２１は、補強部材２４，２６の幅寸法よりも充分に大きい第１及び第２棒状部材１６，１７の長さ方向の寸法を有しているため、補強部材２４，２６の長さ方向の両端部は、第１及び第２棒状部材１６，１７に設けられている切欠部２１にすき間を開けた遊合状態で嵌合されている。
【００４０】
したがって、第１及び第２棒状部材１６，１７は、連結具２２のボルト２２Ａの軸部を中心に切欠部２１の上記すき間がなくなるまで、言い換えると、第１及び第２棒状部材１６，１７の角パイプ部材１８や角パイプ部材１９が補強部材２４，２６の長さ方向の両端部に当接するまで、天板部材１１に対して水平方向に回動可能となっている。
【００４１】
図２に示されているように、すき間塞ぎ体１０を仮設足場に設けられている前述のすき間Ｓに配置する作業を行う際には、図７に示されているように、第１及び第２棒状部材１６，１７を連結具２２のボルト２２Ａの軸部を中心に水平方向に回動させ、これにより、第１棒状部材１６を、仮設足場の構成部材としてこの仮設足場に設けられている前述の２本の横架部材８のうち、一方の横架部材８と平行又は略平行にするとともに、第２棒状部材１７を、他方の横架部材８と平行又は略平行にする。次いで、すき間塞ぎ体１０を上からすき間Ｓに落とし込み、これにより、第１棒状部材１６に取り付けられている２個のフック部材１５Ａ，１５Ｂに設けられた前述の開口部２７を上述の一方の横架部材８に上から嵌合することにより、これらのフック部材１５Ａ，１５Ｂをこの一方の横架部材８に係止するとともに、第２棒状部材１７に取り付けられている２個のフック部材１５Ｃ，１５Ｄの開口部２７も上述の他方の横架部材８に上から嵌合することにより、これらのフック部材１５Ｃ，１５Ｄをこの他方の横架部材８に係止する。
【００４２】
以上の作業を、図２で示した内側のすき間Ｓ１を塞ぐためのすき間塞ぎ体１０Ａと、外側のすき間Ｓ１を塞ぐためのすき間塞ぎ体１０Ｂとについて行い、これらのすき間塞ぎ体１０Ａ，１０Ｂの天板部材１１Ａ，１１Ｂの端部を、仮設足場の前述した略円弧状部における内側と外側に配設された作業布板６Ａ、６Ｂの端部カバー部材７の上に載せる。
【００４３】
なお、以上の作業を行ったときには、すき間塞ぎ体１０Ａ，１０Ｂのフック部材１５は、横架部材８に作業布板６Ａ，６Ｂの係止部材９とこの横架部材８の長さ方向に並んで係止されるが、これらのフック部材１５のうち、係止部材９よりも作業布板６Ａ，６Ｂの幅方向内側に配設されるフック部材１５は、係止部材９と、作業布板６Ａ，６Ｂの端部カバー部材７の幅方向端面との間にスリットが設けられているため、このスリットを通過して横架部材８に上から係止されるようになっている。
【００４４】
以上の作業により、内側のすき間Ｓ１を塞ぐためのすき間塞ぎ体１０Ａと、外側のすき間Ｓ１を塞ぐためのすき間塞ぎ体１０Ｂは、作業布板６Ａ，６Ｂを仮設足場に配設するためにこの仮設足場に水平に設けられている横架部材８にフック部材１５Ａ〜１５Ｄが係止されることで仮設足場に配置されたことになり、仮設足場の構成部材としてこの仮設足場に設けられている横架部材８には、前述したように作業布板６Ａ，６Ｂに設けられている係止部材９も係止されているため、すき間塞ぎ体１０Ａ，１０Ｂは、作業布板６Ａ，６Ｂのための横架部材８が利用されて仮設足場に配置されたことになる。
【００４５】
なお、作業布板６Ａ，６Ｂの係止部材９は、すき間塞ぎ体１０のフック部材１５Ａ〜１５Ｄと同様に、下向きに開口した開口部を有するものである。
【００４６】
また、すき間塞ぎ体１０のフック部材１５Ａ〜１５Ｄには、図５に示されているように、横架部材８に対するフック部材１５Ａ〜１５Ｄの係止が解除されることを防止するためのロック部材３０が設けられている。このロック部材３０は、頭部付きピン３１，３２の頭部によりフック部材１５Ａ〜１５Ｄに分離不能に配置され、ロック部材３０には、ピン３１，３２が挿通された湾曲状の長孔３３が形成されているため、ロック部材３０は、フック部材１５Ａ〜１５Ｄに対して回動しながら上下に遊動可能となっている。長孔３３には、ピン３１，３２を嵌入させることができる凹部が複数個設けられているため、フック部材１５Ａ〜１５Ｄの開口部２７を横架部材８に上から嵌合する際には、ロック部材３０を、開口部２７の全体を開口させることができる上側位置に配置し、開口部２７を横架部材８に上から嵌合した後に、ロック部材３０を下側位置へ遊動させることにより、開口部２７の一部がロック部材３０で閉じられ、これにより、横架部材８からのフック部材１５Ａ〜１５Ｄの係止解除が防止される。なお、このようなロック部材は作業布板６Ａ，６Ｂの係止部材９にも設けられている。
【００４７】
以上説明した本実施形態のすき間塞ぎ体１０によると、天板部材１１に配置されているフック部材１５Ａ〜１５Ｄは、天板部材１１の下側に連結具２２のボルト２２Ａの軸部を中心に水平方向へ回動自在に配置されている第１及び第２棒状部材１６，１７に取り付けられているため、これらのフック部材１５Ａ〜１５Ｄも天板部材１１に対し水平方向に回動自在となっている。このため、仮設足場を構成している複数個の作業布板６が、図２で示したすき間Ｓを開けて作業布板６の長さ方向に配置されているとともに、これらの作業布板６が、作業布板６の長さ方向の端部同士が鋭角の角度をなすことによって水平方向の角度をなして配置されている場合には、すき間塞ぎ体１０を作業布板６同士の間のすき間Ｓに配置する際に、第１及び第２棒状部材１６，１７をボルト２２Ａの軸部を中心に水平方向へ回動させることにより、フック部材１５Ａ〜１５Ｄも天板部材１１に対し水平方向に回動させることができ、これにより、これらのフック部材１５Ａ〜１５Ｄを図２に示されている２本の横架部材８に係止させて、すき間塞ぎ体１０によりすき間Ｓを有効に塞ぐことができる。
【００４８】
また、フック部材１５Ａ〜１５Ｄの天板部材１１に対する水平方向への回動角度は調節することができるため、上述した作業布板６の長さ方向の端部同士がなす鋭角の角度が異なるそれぞれの仮設足場において、本実施形態に係るすき間塞ぎ体１０を用いることができる。
【００４９】
また、本実施形態に係るすき間塞ぎ体１０をすき間Ｓに配置したときには、天板部材１１の端部は、前述したように、作業布板６の端部カバー部材７の上に載るため、すき間塞ぎ体１０と作業布板６との連続性を確保でき、これにより、作業者は、すき間塞ぎ体１０と作業布板６の上で安定して作業や歩行などを行える。
【００５０】
さらに、天板部材１１の下面には補強部材２４〜２６が取り付けられているため、天板部材１１が板材で形成されていても、作業者が乗って作業や歩行などを行うために求められる充分の強度を天板部材１１に付与できる。
【００５１】
また、図５及び図６に示されているように、第１及び第２棒状部材１６，１７の上面は天板部材１１の下面に接触しているため、これらの棒状部材１６，１７も天板部材１１の強度を大きくための補強部材となり、これにより、天板部材１１の強度を一層大きくすることができる。
【００５２】
さらに、補強部材２４〜２６のうち、長寸法の補強部材２４，２６は、第１及び第２棒状部材１６，１７と干渉する長さ寸法を有し、これにより、補強部材２４，２６による天板部材１１の大きな補強効果を得られているが、天板部材１１に水平方向へ回動自在に連結されているこれらの棒状部材１６，１７には、補強部材２４，２６の長さ方向の両端部を嵌合するための切欠部２１が設けられており、この切欠部２１は、補強部材２４，２６の長さ方向の両端部をすき間を設けて遊合状態で嵌合できるものとなっているため、補強部材２４，２６が第１及び第２棒状部材１６，１７と干渉する長さ寸法を有するものとなっていても、第１及び第２棒状部材１６，１７の天板部材１１に対する水平方向への回動を保障することができる。
【００５３】
また、第１及び第２棒状部材１６，１７が天板部材１１に対して水平方向に一定角度まで回動すると、これらの棒状部材１６，１７の角パイプ部材１８，１９は補強部材２４，２６に当接するため、棒状部材１６，１７が天板部材１１に対し３６０度回動することはなく、このため、仮設足場の構築現場へ搬送等するときにおけるすき間塞ぎ体１０の取り扱い性は良好となる。
【００５４】
さらに、天板部材１１には、第１棒状部材１６をこの天板部材１１に連結している連結具２２のボルト２２Ａの軸部を挿通させるための孔として長孔２３が形成されており、この長孔２３は、第１棒状部材１６と第２棒状部材１７との間の間隔の方向に長い長孔となっているため、第１棒状部材１１は、第１棒状部材１６と第２棒状部材１７の接近、離間方向に天板部材１１に対し移動可能となっており、このため、すき間塞ぎ体１０を配置すべきすき間Ｓの大きさに応じて第１棒状部材１６と第２棒状部材１７との間の間隔を調整できるため、大きさの異なるそれぞれのすき間Ｓに有効に対処することができる。
【００５５】
また、天板部材１１は、図４で示したように、互いに平行となっている２つの辺部１２Ａ，１２Ｂを有するものとなっているため、図２に示したように、すき間Ｓのうち、内側のすき間Ｓ１をすき間塞ぎ体１０Ａにより塞ぎ、外側のすき間Ｓ２をすき間塞ぎ体１０Ｂにより塞いだときに、すき間塞ぎ体１０Ａの天板部材１１Ａの辺部１２Ｂと、すき間塞ぎ体１０Ｂの天板部材１１Ｂの辺部１２Ａとを平行又は略平行にして対面させることができ、これにより、すき間Ｓの全体をすき間塞ぎ体１０Ａと１０Ｂとにより有効に塞ぐことができる。
【産業上の利用可能性】
【００５６】
本発明は、建築や土木等の作業現場で構築される仮設足場に利用することができる。
【符号の説明】
【００５７】
６，６Ａ，６Ｂ  作業布板
８  仮設足場の構成部材である横架部材
１０，１０Ａ，１０Ｂ  すき間塞ぎ体
１１，１１Ａ、１１Ｂ  天板部材
１５，１５Ａ，１５Ｂ，１５Ｃ，１５Ｄ  係止部材であるフック部材
１６  第１棒状部材
１７  第２棒状部材
２１  切欠部
２４，２５，２６  補強部材
Ｓ，Ｓ１，Ｓ２  すき間
【図１】
2019108714.tif 000003
【図２】
2019108714.tif 000004
【図３】
2019108714.tif 000005
【図４】
2019108714.tif 000006
【図５】
2019108714.tif 000007
【図６】
2019108714.tif 000008
【図７】
2019108714.tif 000009